(57)【要約】  【課題】  この発明は、本体に平面的に重ね合せて設けられたカバーを平面方向に開閉操作するための回転支持機構を薄型に構成し、しかもカバーの開操作を自動化して利用者が片手でワンタッチにて開操作できるようにし、また手動操作によっても開操作できるようにして利用性能を高める。  【解決手段】  この発明は、本体にカバーを重ね合せ、その重ね合せたままの平面方向にカバーを回転させる回転力を付与する回転力付与手段を備え、待機状態では、この回転力付与手段の回転力に抗して前記カバーを平面方向の閉位置に係止しておき、この待機状態よりカバーの係止を解除すると、回転力付与手段の回転力を受けてカバーは自動的に回転し、回転完了した開位置でカバーを回転停止させる。  【選択図】  図８
2005172152.tif 000002
【特許請求の範囲】
【請求項１】
本体とカバーとを重ね合せて閉じた閉位置から前記カバーを重ね合せたままの平面方向に回転させて１８０度回転した開位置に回転停止させる回転支持機構であって、
前記本体を基準に前記カバーを開方向に回転させる回転力を付与する回転力付与手段と、
前記回転力付与手段の回転力に抗して前記カバーを少なくとも一方の閉方向に回転させて前記閉位置に至ったとき、該カバーの回転を停止させる閉位置係止手段と、
前記閉位置係止手段の係止を、本体の外面に備えられた手動解除部材の解除操作に連動して解除させる係止解除手段と、
前記係止解除手段を解除操作したとき、前記回転力付与手段の回転力を受ける方向に前記カバーを回転させて、該カバーが前記開位置に至ったとき、該カバーの回転を停止させる開位置係止手段と、
を備えた回転支持機構。
【請求項２】
前記回転力付与手段は、コイル状のバネの一端を、該バネの他端を基準に前記カバーに開方向への回転力を与えて閉位置から開位置まで回転許容された一方の閉位置係止手段に係止させ、前記バネの他端を、該バネの一端を基準に前記開方向とは逆向きの開方向への回転力を与えて閉位置から開位置まで回転許容された他方の閉位置係止手段に係止させる左右対称の構造にした
請求項１記載の回転支持機構。
【請求項３】
前記閉位置係止手段は、本体側とカバー側との間に介在する係止部材と、
前記係止部材を前記本体側の係止部に押圧付勢して係止させる押圧手段と、
前記係止部材が係止部から外れて係止解除されたとき、該係止部材を前記カバー側に一体に係止させて前記回転力付与手段の回転力により閉位置から開位置まで回転移動させる回動手段と、
を備えた請求項１記載の回転支持機構。
【請求項４】
本体とカバーとを重ね合せて閉じた閉位置から前記カバーを重ね合せたままの平面方向に回転させて１８０度回転した開位置に回転停止させる回転支持機構であって、
前記平面方向に回転し、その同軸上の回転位置の１８０度向きの異なる一方の外周面上に凹状の閉位置対応部を有し、他方の外周面上に凹状の開位置対応部を有する回転板と、
前記回転板の外周面上の閉位置対応部側から軸心に向かう方向を押圧方向に設定して突出する凸状を有して前記回転板の外周面を押圧し、前記回転板の閉位置対応部と凹凸対応して押圧したとき回転板の回転規制力を高めて回転板の回転を停止させ、前記回転板の開位置対応部と凹凸対応して押圧したとき回転板の回転規制力を高めて回転板の回転を停止させる押圧手段と、
前記カバーに手動回転力が加わって、該カバーに連結された前記回転板が少なくとも一方の定められた回転方向に１８０度回転したとき、その１８０度を超える過剰回転を規制する過剰回転規制手段とを設け、
前記回転板と押圧手段の一方を前記本体に取付け、他方を前記カバーに取付けてカバーを回転支持する
回転支持機構。
【請求項５】
本体とカバーとを重ね合せて閉じた閉位置から前記カバーを重ね合せたままの平面方向に回転させて１８０度回転した開位置に回転停止させる回転支持機構であって、
前記本体を基準に前記カバーを開方向に回転させる回転力を付与する回転力付与手段と、前記回転力付与手段の回転力に抗して前記カバーを少なくとも一方の閉方向に回転させて前記閉位置に至ったとき、該カバーの回転を停止させる閉位置係止手段と、前記閉位置係止手段の係止を本体の外面に備えられた手動解除部材の解除操作に連動して解除させる係止解除手段と、前記係止解除手段を解除操作したとき、前記回転力付与手段の回転力を受ける方向に前記カバーを回転させて、該カバーが前記開位置に至ったとき、該カバーの回転を停止させる開位置係止手段とからなる第１の回転支持機構と、
前記平面方向に回転し、その同軸上の回転位置の１８０度向きの異なる一方の外周面上に凹状の閉位置対応部を有し、他方の外周面上に凹状の開位置対応部を有する回転板と、前記回転板の外周面上の閉位置対応部側から軸心に向かう方向を押圧方向に設定して突出する凸状を有して前記回転板の外周面を押圧し、前記回転板の閉位置対応部と凹凸対応して押圧したとき回転板の回転規制力を高めて回転板の回転を停止させ、前記回転板の開位置対応部と凹凸対応して押圧したとき回転板の回転規制力を高めて回転板の回転を停止させる押圧手段とを設け、前記カバーに手動回転力が加わって、該カバーに連結された前記回転板が少なくとも一方の定められた回転方向に１８０度回転したとき、その１８０度を超える過剰回転を規制する過剰回転規制手段とを設け、前記回転板と押圧手段の一方を前記本体に取付け、他方を前記カバーに取付けてカバーを回転支持する第２の回転支持機構とを備えた
回転支持機構。
【請求項６】
請求項１、２、３、４または５記載の回転支持機構を備えた電子機器。
【発明の詳細な説明】
【技術分野】
【０００１】
この発明は、例えば携帯電話機、電子手帳等の携帯端末(モバイル機器)を含む様々な電子機器の開閉部分に用いられるような回転支持機構に関し、さらに詳しくは上下に重ね合せた本体とカバーとを開閉操作する場合に、カバーを平面方向にワンタッチで回転させることができる回転支持機構および電子機器に関する。
【背景技術】
【０００２】
以下、携帯電話機のカバーを開閉可能に支持する回転支持機構を例にとって説明する。  
一般に、この種の回転支持機構を組込んでカバーを開閉する携帯電話機は、本体とカバーとを２つ折りに折畳んで重ね合せた状態から回転支持部の回転軸を開閉支点に、本体とカバーを重ね合せた方向に開ける中折れタイプの回転支持機構(カバー開閉機構)が知られている (例えば特許文献１参照)。
【０００３】
しかし、このような回転支持機構の一側に取付けられたカバーを開操作する場合、利用者が片方の手で本体を支え、他方の空いた手でカバーを掴んで開操作しなければならず、カバーを開けるには両手を必要としていた。このため、カバーを簡単に開操作することができなかった。
【０００４】
【特許文献１】特開２００３−２８１３８。
【０００５】
また近年、図１６(Ａ)および図１６(Ｂ)に示すように、本体１６１とカバー１６２とを重ね合せた状態から上側のカバー１６２を重ね合せたままの平面方向に、ほぼ１８０度近く回転させて開操作する平面開閉型の携帯電話機１６３が知られている。
【０００６】
この場合は、携帯電話機を片手で保持した状態からその片手で重ね合せた上側のカバーを横方向に押して、本体とカバーとを上下に階段状にずらすことができるため、カバーを掴み易くなり、その後のカバーの回転操作が容易になる。しかし、この場合もカバーを最後まで片手で開操作することはできず、カバーを完全に開操作するには両手を必要としていた。
【０００７】
さらに、この重ね合せたままの平面方向にカバーを開閉する回転支持機構は、カバーを軸支する回転軸がカバー厚さ方向に軸支されるために嵩高になってしまい、この結果、薄型化が難しくなっていた。さらに、本体とカバーとの開閉に際しては、これらの間を結ぶ配線が回転方向に捩れないようにカバーの回転量や回転方向を工夫する必要があり、配線の捩れを解消するための制約を受けて薄型化に限界が生じていた。
【発明の開示】
【発明が解決しようとする課題】
【０００８】
そこでこの発明は、カバーの開操作を自動化して利用者が片手でワンタッチにて開操作を行うことができ、また手動操作によってカバーを直に動かしても開操作できるようにして利用性能を高めることができ、しかも携帯に便利な薄型に作製することができる回転支持機構および電子機器を提供することを目的とする。
【課題を解決するための手段】
【０００９】
この発明は、本体とカバーとを重ね合せて閉じた閉位置から前記カバーを重ね合せたままの平面方向に回転させて１８０度回転した開位置に回転停止させる回転支持機構であって、前記本体を基準に前記カバーを開方向に回転させる回転力を付与する回転力付与手段と、前記回転力付与手段の回転力に抗して前記カバーを少なくとも一方の閉方向に回転させて前記閉位置に至ったとき、該カバーの回転を停止させる閉位置係止手段と、前記閉位置係止手段の係止を、本体の外面に備えられた手動解除部材の解除操作に連動して解除させる係止解除手段と、前記係止解除手段を解除操作したとき、前記回転力付与手段の回転力を受ける方向に前記カバーを回転させて、該カバーが前記開位置に至ったとき、該カバーの回転を停止させる開位置係止手段とを備えたことを特徴とする。
【００１０】
ここで回転力付与手段とは、例えばバネを用い、このバネの持つ弾性力をカバー開方向の回転力に利用して、カバーを閉位置から平面方向に１８０度向きの異なる開位置に自動的に回転させる役目を有するものである。
【００１１】
前記手動解除部材とは、例えば利用者の指先で横方向にスライド移動可能な小さな美観を損なわない解除レバーを設け、この解除レバーを指先で一側にスライド移動させることに基づいて、回転力付与手段の回転力に抗して係止している部分を解除するように構成すればよい。また、解除レバーに限らず、解除ボタンなどの操作部材を用いても構成することができる。
【００１２】
前記開位置係止手段とは、カバーを閉位置から開位置に１８０度回転させたとき、該カバーの開位置での回転を係止し、それ以上の過剰回転を規制する。例えば、カバーを共通の閉位置から左回転と右回転との両方向に対して開操作を可能に構成した場合は、その１８０度向きの異なる共通の開位置の回転軌跡上に規制部材を配設して、その規制部材の一方の片面を左回転方向の回転規制面に設け、他方の片面を右回転方向の回転規制面に設ければ一部材で両ストッパ機能が得られる。
【００１３】
この発明によると、本体とカバーとが重ね合せられた待機状態ではカバーを閉位置に係止した閉位置係止状態にある。この閉位置係止状態から利用者が手動解除部材を解除操作すると、閉位置でのカバーの係止が解除され、この解除操作に連動してカバーは回転力付与手段の回転力を受けて開方向に勢いよく１８０度回転し、その回転した開位置に至った時点で、カバーは開位置係止手段により回転規制されて回転停止する。一方、開位置からはカバーを手動により閉方向に１８０度回転させてカバーを元の閉位置に戻せば、その位置で閉位置係止手段が係止動作してカバーを閉位置に回転停止させることができる。
【００１４】
このように、カバーを開操作するときは利用者がワンタッチで本体の外面に備えられた手動解除部材を解除操作するだけでよく、その後は回転力付与手段の回転力によってカバーを自動的に開操作できる。このため、カバーを開操作するときは片手で済み、カバーの開操作性が向上する。また、カバーの開方向は一点を基準に一方に１８０度回転するように構成してもよく、左右両方に１８０度ずつ回転するように構成することもできる。
【００１５】
また、カバーの回転量を１８０度程度に規制することができるため、内部の配線も１８０度程度の回転範囲内の動きに制限できる。このため、内部の配線はカバーの過剰な回転による捩り作用を受けなくなり、配線の耐久性も向上する。
【００１６】
さらに、重ね合せて連結される本体とカバーとは回転支持機構を介して相対的に回転する構成のため、この回転支持機構を構成する部材を本体側とカバー側の一方と他方に対応させて取付けるだけでなく、これらの取付け側を逆にして取付けることもできる。
【００１７】
この発明の別の構成の回転力付与手段として、コイル状のバネの一端を、該バネの他端を基準に前記カバーに開方向への回転力を与えて閉位置から開位置まで回転許容された一方の閉位置係止手段に係止させ、前記バネの他端を、該バネの一端を基準に前記開方向とは逆向きの開方向への回転力を与えて閉位置から開位置まで回転許容された他方の閉位置係止手段に係止させる左右対称の構造にして構成することができる。
【００１８】
前記バネは、例えばコイル状に巻回された捩りバネ、あるいはゼンマイバネを用い、この１個のバネの弾性力を利用して、該バネの一端をカバーの左回転方向の開操作用に、他端を右回転方向の開操作用に使い分けることができる。
【００１９】
具体的には、一方の係止解除手段により一方の閉位置係止手段の係止を解除すれば、これに連動してバネの一端は開放され、この開放された一端部が該バネの他端の固定位置を基準に開方向に回転し、これに連動してカバーは１８０度回転して開操作される。同様の理由で、左右対称の構造を有する他端側は係止解除されると、逆方向に１８０度回転して開操作される。
【００２０】
特に、回転力付与手段は左右対称の構造を有しているため、カバーを開操作する場合に左右両方向の一方を選択して任意に開操作することができる。また、１個のバネを両方向の回転駆動源に共通して有効利用できるため、部品点数の削減と小型化とを図ることができる。
【００２１】
この発明の別の構成の閉位置係止手段として、本体側とカバー側との間に介在する係止部材と、前記係止部材を前記本体側の係止部に押圧付勢して係止させる押圧手段と、前記係止部材が係止部から外れて係止解除されたとき、該係止部材を前記カバー側に一体に係止させて前記回転力付与手段の回転力により閉位置から開位置まで回転移動させる回動手段とを備えて構成することができる。
【００２２】
前記係止部材は押圧手段と組合せることによって、カバーを閉位置に係止してカバーを回転停止させる係止機能が得られる。例えば、係止部材に昇降ピンを用い、この昇降ピンを係止側に付勢するコイルバネなどの押圧手段で押圧させれば係止させることができる。そして、昇降ピンが本体側より解除されると同時にカバー側の係止部に係止するようにすれば、昇降ピンをカバー側に一体化させてカバーとともに回転させることができる。
【００２３】
また、係止部材は係止機能だけでなく、回動手段と組合せることによって回転移動機能が得られる。つまり、この係止部材が係止解除されたときに回動手段によって閉位置から開位置まで１８０度連れ回りされる。さらに、係止部材は回動手段によって開位置に１８０度回転したとき、該係止部材は開位置係止手段によって位置決めされて係止される位置決め機能をも持たせることができる。またこの場合も、係止部材が一部品で係止機能と回転移動機能との両機能を有するため、部品点数の削減を図ることができる。
【００２４】
この発明の別の構成では、本体とカバーとを重ね合せて閉じた閉位置から前記カバーを重ね合せたままの平面方向に回転させて１８０度回転した開位置に回転停止させる回転支持機構であって、前記平面方向に回転し、その同軸上の回転位置の１８０度向きの異なる一方の外周面上に凹状の閉位置対応部を有し、他方の外周面上に凹状の開位置対応部を有する回転板と、前記回転板の外周面上の閉位置対応部側から軸心に向かう方向を押圧方向に設定して突出する凸状を有して前記回転板の外周面を押圧、前記回転板の閉位置対応部と凹凸対応して押圧したとき回転板の回転規制力を高めて回転板の回転を停止させ、前記回転板の開位置対応部と凹凸対応して押圧したとき回転板の回転規制力を高めて回転板の回転を停止させる押圧手段と、前記カバーに手動回転力が加わって、該カバーに連結された前記回転板が少なくとも一方の定められた回転方向に１８０度回転したとき、その１８０度を超える過剰回転を規制する過剰回転規制手段とを設け、前記回転板と押圧手段の一方を前記本体に取付け、他方を前記カバーに取付けてカバーを回転支持することを特徴とする。
【００２５】
前記回転板は、カバーを開閉操作したときの回転方向の閉位置と開位置との位置決めを行うものであり、さらに薄型化に適した板状にできるため、嵩を低くして組込むことができる。
【００２６】
前記押圧手段は、押圧用に伸縮する弾性体、例えばバネを用いて押圧力を付与することができる。このバネの押圧力を本体側から回転板の外周面に押圧させることができるため、これらを凹凸対応させて設ければ、押圧手段が回転板の開位置と閉位置とで凹凸対応することになり、１８０度の向きの異なる開閉位置を正確に位置決めして、カバーを回転停止させることができる。
【００２７】
従って、カバーを平面方向に回転させて開操作した場合は、その開位置で凹凸対応してカバーの開状態を維持する。そして、カバーを逆向きに回転させて戻せば、元の位置に戻すことができる。
【００２８】
この場合は、利用者が指先の操作でカバーを自動的に開操作させるのではなく、利用者がカバーを直接手で掴んで、そのまま平面方向に力を加えながら１８０度回転させても開操作することができる。またこの場合は、上下方向に嵩張らず、回転支持機構の小型化ひいては本体およびカバーからなる携帯電話機などの電子機器の薄型化につながる。
【００２９】
このときの凹凸形状としては、例えば円弧形の凹面と凸面とを互いに凹凸対応させれば実現できる。この凹凸形状の深さ、幅、傾斜面および角度などを変えれば、係止強さの度合い、係止解除度合い、開閉操作したときの操作感触（クリック感）および解除角度を所望の値に変えることができる。上述の凹凸対応は回転板と押圧手段との一方を凹部に他方を凸部に設ければよい。
【００３０】
この場合、押圧手段の凸部と回転板の外周面に形成された凹部とが凹凸対応し、定められた位置で回転板は回転停止される。このため、閉位置の待機状態からさらに閉方向に少し回転させると、凸部は凹部から外れ、このとき回転板の回転が許容される。その後、開位置に回転した回転板は、過剰回転規制手段によって、それ以上の開方向の回転は規制され、元に戻る閉方向には回転が許容される。
【００３１】
また、カバーと一体に回転する回転板と、本体に支持されて押圧する押圧手段とを閉位置と開位置とで凹凸対応させるため、カバーを、凹凸対応させる回転停止位置の一点で正確に位置決めすることができる。
【００３２】
さらに、押圧手段の押圧力は、カバーを手動により少し回転させたとき、前記回転板との凹凸対応が外れて該回転板の回転規制力を解除する手動回転操作に適した押圧力に設定する。このため、利用者が力を加えたときの手によるカバーの回転操作力に適した良好な操作感触が得られる回転規制力に設定することができる。また、手動操作する利用者側にあっても無理がなく、円滑な開閉操作が得られる。
【００３３】
この発明の別の構成では、本体とカバーとを重ね合せて閉じた閉位置から前記カバーを重ね合せたままの平面方向に回転させて１８０度回転した開位置に回転停止させる回転支持機構であって、前記本体を基準に前記カバーを開方向に回転させる回転力を付与する回転力付与手段と、前記回転力付与手段の回転力に抗して前記カバーを少なくとも一方の閉方向に回転させて前記閉位置に至ったとき、該カバーの回転を停止させる閉位置係止手段と、前記閉位置係止手段の係止を、本体の外面に備えられた手動解除部材の解除操作に連動して解除させる係止解除手段と、前記係止解除手段を解除操作したとき、前記回転力付与手段の回転力を受ける方向に前記カバーを回転させて、該カバーが前記開位置に至ったとき、該カバーの回転を停止させる開位置係止手段とからなる第１の回転支持機構と、前記平面方向に回転し、その同軸上の回転位置の１８０度向きの異なる一方の外周面上に凹状の閉位置対応部を有し、他方の外周面上に凹状の開位置対応部を有する回転板と、前記回転板の外周面上の閉位置対応部側から軸心に向かう方向を押圧方向に設定して突出する凸状を有して前記回転板の外周面を押圧し、前記回転板の閉位置対応部と凹凸対応して押圧したとき回転板の回転規制力を高めて回転板の回転を停止させ、前記回転板の開位置対応部と凹凸対応して押圧したとき回転板の回転規制力を高めて回転板の回転を停止させる押圧手段とを設け、前記カバーに手動回転力が加わって、該カバーに連結された前記回転板が少なくとも一方の定められた回転方向に１８０度回転したとき、その１８０度を超える過剰回転を規制する過剰回転規制手段とを設け、前記回転板と押圧手段の一方を前記本体に取付け、他方を前記カバーに取付けてカバーを回転支持する第２の回転支持機構とを備えたことを特徴とする。
【００３４】
この発明によると、カバーの開操作を自動化した第１の回転支持機構と、カバーの開操作を手動的にした第２の回転支持機構とを備えているため、電子機器に適用した場合に利用者はどちらでも使い易い方から開操作できる。従って、利用者はカバーの開操作の仕方に制限を受けず、何れの方法にても開操作が可能になり、電子機器の使い易さが向上する。
【００３５】
このような回転支持機構を備えた電子機器を用いれば、回転力付与手段の回転力がカバーの閉方向から開方向に作用するため、閉位置よりカバーを少し回転させて係止解除するだけで該カバーは勢いよく開方向に１８０度回転する。このため、利用者は電子機器のカバーを片手で簡単に開操作することができ、電子機器の利便性が向上する。
【００３６】
具体的には、利用者が電子機器を保持した片手の指先で手動解除部材を少しスライド移動させるか、あるいはカバーを利用者が直接手で掴んで１８０度回転させるだけで係止解除して開操作できるため、電子機器の開操作性が向上する。逆に、カバーを元の閉位置に戻す場合は、手でカバーを逆向きの閉方向に１８０度回転させれば元に戻すことができる。上述の電子機器としては、回転支持機構に支持されて開閉操作される本体とカバーとからなる携帯電話機、電子手帳等のモバイル機器に適用することができる。
【発明の効果】
【００３７】
この発明によれば、本体に平面的に取付けられるカバーの平面方向の開操作を利用者が片手で簡単に開操作できる回転支持機構を構築して、使用性能を高めることができる。
【発明を実施するための最良の形態】
【００３８】
薄型化および小型化に適した平面的なカバーの回転構造と、その平面的なカバーの回転構造に応じた１８０度向きの異なる開位置と閉位置との位置決め構造を構築する。
【実施例】
【００３９】
この発明の一実施例を以下図面に基づいて説明する。  
図面は水平回転型の携帯電話機を示し、図１において、この水平回転型の携帯電話機１１は長方板形状の本体１２と、同形状のカバー１３とを重ね合せ、その重ね合せたままの平面方向にカバー１３を回転させて開閉操作する水平回転型に構成している。
【００４０】
前記本体１２とカバー１３の上面および側面等の外表面には、電話や電子メールなどを含む様々な電子情報を利用するための図示しない表示器や入力装置およびアンテナを装備している。このうち、前記本体１２の一端面の左右位置には、カバー１３をワンタッチで開操作するための左解除レバー(図中右側)Ｌ１と右解除レバー(図中左側)Ｌ２とを付設している。
【００４１】
前記本体１２とカバー１３との連結に際しては、図２に示すように、下側の本体１２と上側のカバー１３とを、回転支持機構１４を介して平面方向に回転可能に連結している。
【００４２】
前記回転支持機構１４は、利用者がワンタッチでカバー１３を開操作できる自動回転支持機構と、カバー１３の開操作を手で動かして終始手動操作によって行う手動回転支持機構との両機構を備えている。このため、携帯電話機１１は自動的にも手動的にも開操作できる２通りの開操作機能を有して、何れの開操作が行われても利用できるようにしている。さらに、これらの回転支持機構は左右対称の構造に設けて、カバー１３を初期位置としての共通する１つの閉位置から共通する１つの開位置へと１８０度回転させて左開きと右開きとの両方向からの開操作を可能にしている。
【００４３】
先ず、自動回転支持機構を利用して平面方向にカバー１３を開操作させる場合の概略操作について説明すると、利用者が右解除レバーＬ２を指先で少しスライド移動させると、これに連動して自動回転支持機構の係止（後述する）が外れる。この右解除レバーＬ２の係止解除操作によって、カバー１３には右開き方向（右回転方向）への回転力が生じ、カバー１３は、図３(Ａ)に示すように、右開き方向に回転し始める。その後は自動的に開方向に回転し、１８０度回転したとき、図３(Ｂ)に示すように、本体１２とカバー１３は縦長に真っ直ぐ伸びた開状態で停止する。
【００４４】
一方、左解除レバーＬ１が操作された場合も前記右解除レバーＬ２を操作したときとは、自動回転支持機構が左右対称の構造を有しているため、カバー１３の開方向が左右に異なるだけであり、同じ動きをするため同様にカバー１３は開操作される。
【００４５】
つまり、利用者が左解除レバーＬ１を解除操作すれば、これに連動して自動回転支持機構の左側の係止が外れ、図４(Ａ)に示すように、カバー１３に左開き方向（左回転方向）への回転力を生じさせることができ、これに基づいてカバー１３は自動的に左開き方向に回転し始める。その後は、図４(Ｂ)に示すように、自動的に左開き方向に１８０度回転して開くことができ、本体１２とカバー１３は縦長に真っ直ぐ伸びた開状態で停止する。
【００４６】
これに対し、手動回転支持機構を利用して平面方向にカバー１３を開操作させる場合の概略操作について説明すると、利用者が手でカバー１３を直接掴んで左右何れかの平面方向に１８０度回転させれば、その回転した方向に開操作できる。このときは、カバー１３が１８０度回転して開操作が完了した開位置でカバー１３が回転停止したときの操作感触(後述する)が得られるようにして利用者への応答性を持たせている。この手動回転支持機構も左右対称の構造を有しているため、カバー１３を左開きと右開きとの両方向の回転を同じ構造による動きで可能にしている。
【００４７】
このような自動と手動との両回転支持機能を有する回転支持機構１４は、平面方向にカバー１３を閉位置から開位置に１８０度回転させる回転力を付与する弾性機能を備えた水平回転型に設けている。  
この水平回転型の回転支持機構１４は、図５および図６に示すように、ベース１５の上面に、左スライド片１６と、右スライド片１７と、捩りバネ１８と、左昇降ブロック１９と、右昇降ブロック２０と、左係止バネ２１と、右係止バネ２２と、左ガイドリング２３と、右ガイドリング２４と、感触バネ保持円盤２５と、感触バネ２６と、感触リング２７と、過剰回転規制円板２８と、プレート２９とを搭載し、このうち回転主要部のプレート２９は前記ベース１５上に回転可能にカシメ筒３０でカシメ固定し、これに基づいて、これら全体の上下間を保持して組立ている。
【００４８】
次に、回転支持機構１４を構成する前記各部品１５〜３０について順に説明する。  
前記ベース１５は正方板形状を有して、該ベース１５を本体１２の上面一側の凹部１２ａ(図２参照)内に沈み込ませて一体に固定している。このベース１５の上面には、軸支筒３１と、起立ストッパ３２と、環状ガイドレール３３とを突設し、さらに左右のピン挿通孔３４，３５を開口している。そして、これらに対応して前記した各部品が搭載される。
【００４９】
先ず、軸支筒３１はベース１５の上面中央部に突設し、この突設した下部には大径部を有し、上部には小径部を有する段付き筒体を有している。この軸支筒３１の筒内にカシメ筒３０が挿通され、大径部の外周面側に捩りバネ１８を挿通させ、外周面側の小径部に感触バネ保持円盤２５と感触リング２７とを嵌挿している。さらに、小径部には両側に平行する回り止め用の切欠き係止面３６を形成しており、この切欠き係止面３６に前記感触バネ保持円盤２５を嵌挿して回り止め固定している。一方、感触リング２７は小径部の外周面上に回転自由に軸支して、前記感触バネ保持円盤２５の上部側に取付けている。
【００５０】
続いて、起立ストッパ３２はカバー１３を共通の閉位置から左回転と右回転との両方向に対して開操作を可能にした１８０度向きの異なる共通の開位置の回転軌跡上に位置決め用として、ベース１５の上面に板状を有して立設し、この起立ストッパ３２の左右の両平面を位置規制用のストッパ面に設けている。そして、この起立ストッパ３２に後述する過剰回転規制円板２８が閉位置から開位置に回転したときに位置規制して、カバー１３の過剰回転を規制する役目を有している。
【００５１】
この起立ストッパ３２の左側の位置には左スライド片１６を配設し、右側の位置には右スライド片１７を配設している。そして、起立ストッパ３２の両側のストッパ面で各スライド片１６，１７を係止して、これらの各スライド片１６，１７のスライド待機位置に相当する閉位置でのスライド位置を規制する役目も有している。
【００５２】
次に、環状ガイドレール３３は軸支筒３１を同心円とするベース１５上に大径の環状に起立突設し、この環状ガイドレール３３の内周面をガイド面に設け、この内周のガイド面に沿って左ガイドリング２３と右ガイドリング２４とを回転自由に取付けている。
【００５３】
前記左右のピン挿通孔３４，３５は起立ストッパ３２の位置を基準とする左右対称の位置に、かつ後述する左右の昇降ブロック１９，２０の回転軌跡上に対応する位置に開口し、ここに左昇降ブロック１９と右昇降ブロック２０の後述する下部ピン１９ｂ，２０ｂが挿通したとき、係止して回転規制し、カバー１３の閉位置での係止部の役目を有している。
【００５４】
前記左スライド片１６は本体１２の外面に備えられた左解除レバーＬ１の内端部に接続されて、本体内部のベース１５上に横方向にスライド許容して取付けられ、通常は後述する左昇降ブロック１９によって起立ストッパ３２側に位置規制されている。さらに、この左スライド片１６の上面には円弧形の押上げ面１６ａを有しており、左解除レバーＬ１の外力を受けて該左スライド片１６が起立ストッパ３２とは反対側の係止解除側にスライド移動したときに、該左スライド片１６の押上げ面１６ａが左昇降ブロック１９の下面を滑らかに押上げて、左昇降ブロック１９を上動させ、該左昇降ブロック１９の下部ピン１９ｂとピン挿通孔３４との係止を解除する。
【００５５】
この左スライド片１６と左右対称の同構造を有する右スライド片１７は、左右の向きが異なるだけで同じであり、右スライド片１７は解除レバーの動きに連動してスライド移動して昇降ブロックの係止を解除するという同じ動きをするため、その同一の構造および説明は省略する。
【００５６】
前記捩りバネ１８は軸支筒３１より大径のコイル状に設けられ、この捩りバネ１８の弾力性をカバー開方向の駆動源に利用している。この場合、捩りバネ１８は両端部１８ａ，１８ｂを延出して設け、このうち一端部１８ａを後述する左ガイドリング２３のバネ係止凹部２３ａに係止させ、この係止状態で他端部１８ｂを開方向への回転力を高めた回転力付与状態で後述する右ガイドリング２４のバネ係止凹部２４ａに係止させている。これにより、捩りバネ１８は閉位置に回転停止されている両ガイドリング２３，２４に捩りバネ１８の回転力を生じさせて待機させている。
【００５７】
前記左昇降ブロック１９は上面に突出する上部ピン１９ａと、下面に突出する下部ピン１９ｂと、前記左スライド片１６側に突出する解除力受圧片１９ｃとを備えて構成している。
【００５８】
この場合、上部ピン１９ａは上方に長く突出し、該上部ピン１９ａ上にコイル状の左係止バネ２１を挿通した状態で後述する左ガイドリング２３のピン軸支孔２３ｂに挿通させている。このとき、左係止バネ２１を圧縮させて下向きに加圧させた状態で挿通するため、下部ピン１９ｂを下向きに押圧付勢して、図７に示すように、ベース１５上の左ピン挿通孔３４に挿通され、左昇降ブロック１９はベース１５に回転係止された状態に維持される。
【００５９】
また、解除力受圧片１９ｃは前記左スライド片１６の押上げ面１６ａに対応する傾斜面を下面に有して、左解除レバーＬ１の解除操作に連動して左スライド片１６がスライド移動したときに、該左スライド片１６の押上げ面１６ａが解除力受圧片１９ｃを押上げて、左昇降ブロック１９を左係止バネ２１の下向きの押圧付勢力に抗して上動させる。この上動時に下部ピン１９ｂはベース１５の左ピン挿通孔３４より外れて上動し、捩りバネ１８の回転規制力から開放されて左昇降ブロック１９およびこれと一体の左ガイドリング２３とプレート２９は開方向に回転する。
【００６０】
この左昇降ブロック１９と左右対称の同構造を有する右昇降ブロック２０は、左右の向きが異なるだけで同じものであり、右昇降ブロック２０は解除レバーおよびスライド片の動きに連動して係止解除された昇降ブロックを平面方向に回転させるという同じ動きが得られるため、その同一の構造および説明は省略する。
【００６１】
前記左ガイドリング２３は筒状体の外周面の一部に逆凹形状のバネ収納部２３ｃを径方向に外向きに突設し、このバネ収納部２３ｃに上部ピン１９ａに支持された前記左係止バネ２１を収納保持している。また、前記左係止バネ２１を挿通支持した上部ピン１９ａはバネ収納部２３ｃの上面に縦貫されたピン軸支孔２３ｂに挿通ガイドされて上下動する。さらに、バネ収納部２３ｃの外周面は前記環状ガイドレール３３の内周面に沿って回転可能にガイドされるほぼ同曲率の円弧面に設けている。
【００６２】
この左ガイドリング２３と左右対称の同構造を有する右ガイドリング２４は、左右の向きが異なるだけで同じものであり、係止解除時にガイドリングが昇降ブロックと一体に連れ回りして回転するという同じ動きをするため、その同一の構造および説明は省略する。
【００６３】
また、左右のガイドリング２３，２４は同軸上で上下方向にリングのみを重ね合せて１つの筒状体の如く積層し、この筒状体の内周面と、軸支筒３１の外周面と、ベース１５の底面との間で囲まれる断面凹状の環状のスペースに大径の捩りバネ１８の収納部を形成し、この環状のスペースに捩りバネ１８が収納保持される。
【００６４】
前記感触バネ保持円盤２５は断面凹形状の中空円盤を有し、この中空内周面の左右両側に回り止め係止面２５ａを切欠き形成し、この回り止め係止面２５ａ  前記軸支筒３１の小径部外周面に平行して切欠き形成した切欠き係止部３６に係止対応させて嵌合固定している。さらに、断面凹形状の内部には後述する環状の感触バネ２６を収納し、この凹部内の一方と他方の内周面には感触バネ２６を位置決めするための扇形の小さな第１突部２５ｂと第２突部２５ｃとを突設している。
【００６５】
前記感触バネ２６は一端を開口した８の字形に形成され、この一端開口部２６ａの開口部間が前記第１突部２５ｂを両側より挟んだ状態に取付けられて回り止め固定している。また、感触バネ２６の他端閉鎖側は前記第２突部２５ｃにより支持させて感触バネ２６を感触バネ保持円盤２５内の中央側へと位置させて、感触バネ２６の弾性変位を許容している。さらに、感触バネ２６は８の字形の両側中央部を内向きに少し絞って突出させ、その１８０度向きの異なる一方の第１凸部２６ｂと他方の第２凸部２６ｃとを対向させて設け、この対向部間に介在される後述する感触リング２７の両側の凹部に前記両側の凸部２６ｂ，２６ｃを対応させて凹凸対応させる。
【００６６】
前記感触リング２７は中空円板に設けられ、その中空部の軸孔２７ａを前記軸支筒３１の小径部に回転自由に挿通して取付けられる。さらに、この感触リング２７の軸心を基準に１８０度向きの異なる一方と他方には第１凹部２７ｂと第２凹部２７ｃを有している。そして、これらの凹部２７ｂ，２７ｃに、図８に示すように、感触バネ２６の第１凸部２６ｂと第２凸部２６ｃが両側よりそれぞれ凹凸対応する。
【００６７】
さらに、感触リング２７の上面の１つの位置には感触リング連結ピン２７ｄを立設しており、この感触リング連結ピン２７ｄを、該感触リング２７の上方に重ね合せて取付けられる後述するプレート２９の係合開口部２９ａに挿通して、該感触リング２７とプレート２９とを一体に回転可能に連結している。そして、プレート２９の上面に連結されたカバー１３の動きに応じて感触リング２７とプレート２９とは軸支筒３１を基準に一体に回転する。
【００６８】
前記過剰回転規制円板２８は前記感触リング２７を挿通可能な大きさの中空円板に設けられ、その上面に規制円板連結ピン２８ａを立設し、この規制円板連結ピン２８ａを、該円板２８の上方に重ね合せて取付けられるプレート２９の同心円上の円弧形長孔２９ｂに挿通して連結し、該過剰回転規制円板２８がプレート２９の回転に伴って回転するように連結している。
【００６９】
さらに、外周面の一部には小さな扇形突片２８ｂを突設しており、過剰回転規制円板２８が回転して閉位置から開位置に１８０度回転したとき、この扇形突片２８ｂがベース１５上の起立ストッパ３２に当接して回転規制され、これによりプレート２９の開位置での過剰回転を規制している。また、円弧形長孔２９ｂの長さを調整することによって、左右の回転方向の回転量が正確に１８０度になるように設定している。
【００７０】
ところで、感触バネ２６の第１凸部２６ｂと第２凸部２６ｃは円弧形状に突出させ、これと凹凸に対応する感触リング２７の凹部側も円弧形状にして、互いに円弧形状にて凹凸対応させている。このような円弧形状にて凹凸対応させたとき、凹凸対応した部分が回転方向に加わる僅かな負荷では回転方向に外れない回転規制面に設定している。そして、感触リング２７に手動回転操作力と認められる一定の負荷以上の回転力が加わった場合には、凹凸対応部が外れて感触リング２７の回転が許容される。
【００７１】
このように、円弧形状にて凹凸対応させれば、１８０度向きの異なる回転方向の２つの対向位置でそれぞれ正確な位置決めができる。さらに、凹凸形状としては、円弧形状に限らず、回転方向の負荷に応じた所望の回転規制・回転許容ができる形状であればよい。また、この凹凸形状の深さ、幅、傾斜面および角度などを変えれば、係止、係止解除度合いの調整、開閉操作したときの操作感触および解除角度を所望の値に設定できる。
【００７２】
前記プレート２９は中央部を凹形にした平板状に設けられ、その中央部にカシメ筒挿入孔２９ｃを開口し、さらにカシメ筒挿入孔２９ｃの一側に連通して設けたＵ字形の係合開口部２９ａに、前記感触リング２７の上面に突出する感触リング連結ピン２７ｄを係合可能に対応させている。さらに、円弧形長孔２９ｂと反対側で両側の左右の昇降ブロック１９，２０の閉位置での上部ピン１９ａ，２０ａと対応するプレート２９の位置には、上部ピン１９ａ，２０ａを挿通するための左右のピン挿通長孔２９ｄ，２９ｅを有している。そして、左昇降ブロック１９または右昇降ブロック２０が閉位置にあるとき、その上面に突出する上部ピン１９ａ，２０ａが前記ピン挿通長孔２９ｄ，２９ｅに挿入する。
【００７３】
さらに、このプレート２９の両側にはカバー連結用の連結穴２９ｆ，２９ｇを開口し、これらの連結穴２９ｆ，２９ｇをカバー１３の図示しない連結ピンに固定して一体に取付けている。これにより、回転支持機構１４を介して、本体１２とカバー１３との間を回転自由に一体に連結している。
【００７４】
このため、カバー１３は本体１２の軸支筒３１を中心に、感触リング２７、過剰回転規制円板２８およびプレート２９とともに一体に回転し、このうちのプレート２９を介してカバー１３は平面方向に１８０度左回転または右回転する。
【００７５】
前記カシメ筒３０は軸支筒３１の筒内に挿通して、上部のプレート２９と下部のベース１５との上下端部をカシメ固定して、中間部の捩りバネ１８、左ガイドリング２３、右ガイドリング２４、感触リング２７、過剰回転規制円板２８を回転可能にして保持している。また、このカシメ筒３０の筒内に配線を挿通して、本体１２とカバー１３との間を接続する配線に捩れが生じないようにしている。
【００７６】
ところで、回転支持機構１４のうち自動回転支持機構はベース１５上の下部側に位置する各部品１６〜２４により構成され、本体１２の外面に取付けられた解除レバーＬ１，Ｌ２のレバー操作に連動して、内部のプレート２９を既述した各部品１６〜２４により回転させ、このプレート２９と一体のカバー１３を開方向に回転させることによってカバー１３の開操作の自動化を図っている。
【００７７】
これに対し、手動回転支持機構は回転支持機構１４の各部品のうち、自動回転支持機構の上部側に位置する感触バネ保持円盤２５と、感触バネ２６と、感触リング２７と、過剰回転規制円板２８との数少ない部品を手動用に設定して、プレート２９と一体のカバー１３を、手で直に動かして開操作する手動開操作も許容して構築している。この場合は、利用者がカバー１３を手で掴んでカバー１３をそのまま平面方向に力を加えながら１８０度回転操作するという利用者の回転操作力を利用して回転させことができる。
【００７８】
このように構成された回転支持機構１４を備えた携帯電話機１１の開閉動作を次に説明する。  
通常、携帯電話機１１の待機状態では、図１に示すように、本体１２とカバー１３とが閉じられて重ね合された閉状態にある。この閉状態では、図２および図５にも示すように、カバー１３と一体のプレート２９は閉位置で待機している。
【００７９】
このとき、待機状態の左右の解除レバーＬ１，Ｌ２は、その内部の左右のスライド片１６，１７を介して閉位置に係止されている左右の昇降ブロック１９，２０により閉位置に待機されている。前記左右の昇降ブロック１９，２０の係止状態にあっては、図７〜図９に示すように、左右の下部ピン１９ｂ，２０ｂが左右のピン挿通孔３４，３５にそれぞれ係止されて回転規制されている。このため、捩りバネ１８の開方向の回転力は左右の昇降ブロック１９，２０に加わっているが、該昇降ブロック１９，２０は回転することはない。
【００８０】
次に、このような待機状態にある携帯電話機１１に備わっている自動回転支持機構によってカバー１３を左開きさせる操作について説明する。  
今、利用者が例えば携帯電話機１１を左手に持つと、左手の親指の指先が左解除レバーＬ１に位置し、人差し指の指先が右解除レバーＬ２に位置して開操作がし易くなる配置関係を考慮して各解除レバーＬ１，Ｌ２を取付けている。このため、携帯電話機１１を手に載せた状態では、自然に指先が左右の解除レバーＬ１，Ｌ２をスライド操作可能な位置に接触対応する。
【００８１】
そして、利用者がカバー１３を左開きさせる目的で左解除レバーＬ１をスライド操作してカバーが自動的に開くように開指示を与えると、この左解除レバーＬ１のスライド移動に連動して左スライド片１６が、図１０に示すように、係止解除方向にスライドし、該左スライド片１６の押上げ面１６ａが解除力受圧片１９ｃに次第に強く接して、左係止バネ２１の押圧力に抗して左昇降ブロック１９の全体を上方に押上げる。
【００８２】
このとき、図１１に示すように、左昇降ブロック１９の下動ピン１９ｂがピン挿通孔３４より上動してベース１５より外れ、係止解除される。この係止解除された時点では、既に上部に突出する上動ピン１９ａが上動してプレート２９のピン挿通長孔２９ｂに挿通して、左昇降ブロック１９が上方のプレート２９に係止された連結切換え状態にある(図１０参照)。
【００８３】
このため、左昇降ブロック１９は下動ピン１９ｂがピン挿通孔３４より外れた係止解除時点で、図１２に示すように、捩りバネ１８の係止されている右昇降ブロック２０側を基準に左昇降ブロック１９側が開放されてバネの復元作用を受けるため、この左昇降ブロック１９は、図１３に示すように、左方向に勢いよく回転し、この左昇降ブロック１９の回転に、左ガイドリング２３、感触リング２７、過剰回転規制円板２８およびプレート２９が追従して回転し、１８０度回転すると、図１４に示すように、過剰回転規制円板２８の扇形突片２８ｂが起立ストッパ３２に係止されて、これ以上の過剰回転が規制される。そして、プレート２９と一体のカバー１３は閉位置で回転が停止する。
【００８４】
一方、開位置からはカバー１３を手動により閉方向に１８０度回転させてカバー１３を元の閉位置に戻せば、その閉位置で左係止バネ２１の押圧力を受けた左昇降ブロック１９の下動ピン１９ｂがピン挿通孔３４に嵌り込んで係止し、これによりカバー１３は元の閉位置に回転停止される。
【００８５】
次に、携帯電話機１１に備わっている手動回転支持機構によってカバー１３が利用者により左方向に回転された左開き操作を図１５を参照して説明する。  
今、利用者が携帯電話機１１のカバー１３を直接手で掴んで左方向に１８０度回転させれば、内部の手動回転支持機構に対応する感触リング２７と感触バネ２６との凹凸対応している両側の対向部分が感触バネ２６の押圧力に抗して外れ、この係止解除作用によって感触リング２７は回転が許容される。そして、手動操作によりカバーが１８０度回転した開位置で再び感触リング２７と感触バネ２６とは両側の対向位置でそれぞれ凹凸対応するため、回転係止される。
【００８６】
この開位置に回転係止されたときは、感触バネ２６の弾性変形が元に戻ることによる弾性変動および負荷変動作用によりカバー１３を持つ利用者の手に操作完了したことが明確に分る操作感触が伝えられる。また、これと同時に過剰回転規制円板２８の扇形突片２８ｂが起立ストッパ３２に当接して係止され、これ以上の過剰回転は規制される。  
逆に、カバー１３を元の閉状態に戻す場合は、手でカバー１３を逆向きの閉方向に回転させて戻せば元に戻すことができる。
【００８７】
この手動回転支持機構を用いた場合は、プレート２９と左昇降ブロック１９とは終始非連結状態にあるため、プレート２９を回転操作しても捩りバネ１８の回転力は受けず、内部の左昇降ブロック１９を回転停止させた状態を維持している。
【００８８】
前記カバーの開操作に際して、右解除レバーＬ２が操作されても、また右開き方向の手動操作がなされても、前記左開きの開操作と同じ動きであるため左右対称の同様な作用効果が得られる。
【００８９】
上述のように、カバーを開閉支持する回転支持機構の開操作を自動化してワンタッチで簡単に開操作ができるためカバーの開操作が容易になる。さらに、カバーの開操作を終始手動によっても行なえるため、利用者はカバーの開操作の仕方に制限を受けず、何れの方法にても開操作が可能になり、携帯電話機の使い易さが向上する。
【００９０】
この発明の構成と、上述の一実施例の構成との対応において、
この発明の回転力付与手段は、実施例の捩りバネ１８に対応し、
以下同様に、
閉位置係止手段は、左右の下部ピン１９ｂ，２０ｂと左右のピン挿通孔３４，３５とに対応し、
係止解除手段は、左解除レバーＬ１と右解除レバーＬ２に対応し、
開位置係止手段および過剰回転規制手段は、扇形突片２８ｂと起立ストッパ３２とに対応し、
係止部材は、左昇降ブロック１９と右昇降ブロック２０とに対応し、
本体側の係止部は、左ピン挿通孔３４と右ピン挿通孔３５とに対応し、
押圧手段は、左係止バネ２１と右係止バネ２２とに対応し、
回動手段は、左ガイドリング２３と右ガイドリング２４とに対応し、
回転板は、感触リング２７に対応し、
回転板に凹凸対応する押圧手段は、感触バネ２６に対応し、
第１の回転支持機構は、自動回転支持機構を構成する各部品１５〜２４，２９，Ｌ１，Ｌ２に対応し、
第２の回転支持機構は、手動回転支持機構を構成する各部品２５〜２９に対応し、
電子機器は、携帯電話機１１に対応するも、この発明は請求項に示される技術思想に基づいて応用することができ、上述の一実施例の構成のみに限定されるものではない。
【００９１】
例えば、上述の一実施例では回転支持機構１４のベース１５を本体１２に取付け、回転支持機構１４のプレート２９をカバー１３に取付けて回転支持するように構成したが、本体１２とカバー１３は回転支持機構１４を介して相対的に回転する支持機構のため、前記ベース１５をカバー１３に取付け、前記プレート２９を本体１２に取付けて、逆向きに取付けて構成することもできる。
【００９２】
また、閉位置から開位置までのカバー１３を開操作する方向を左回転方向と右回転方向との何れでも開操作できるように設定したが、左右どちらか一方向に設定して構成することもできる。
【図面の簡単な説明】
【００９３】
【図１】携帯電話機を閉じた状態を示す外観斜視図。
【図２】本体とカバーとの連結対応関係を示す斜視図。
【図３】カバーの右開操作過程を示す斜視図。
【図４】カバーの左開操作過程を示す斜視図。
【図５】回転支持機構を示す外観斜視図。
【図６】回転支持機構を示す分解斜視図。
【図７】回転支持機構の閉位置に係止された待機状態を下方から見て示す斜視図。
【図８】回転支持機構の閉位置での要部分解斜視図。
【図９】回転支持機構のプレートを離して示した外観斜視図。
【図１０】回転支持機構の左開方向の操作初期状態を示す外観斜視図。
【図１１】回転支持機構の左開方向の操作初期状態を下方から見て示す斜視図。
【図１２】回転支持機構の左開方向の操作初期状態を示す要部分解斜視図。
【図１３】回転支持機構の左回転操作途中の状態を示す要部分解斜視図。
【図１４】回転支持機構の左回転完了後の開位置での要部分解斜視図。
【図１５】回転支持機構が終始手動操作により開操作されたときの要部分解斜視図。
【図１６】従来の携帯電話機のカバーの開操作状態を示す斜視図。
【符号の説明】
【００９４】
１１…携帯電話機
１２…本体
１３…カバー
１４…回転支持機構
１８…捩りバネ
１９，２０…昇降ブロック
２１，２２…係止バネ
Ｌ１，Ｌ２…解除レバー
【図１】
2005172152.tif 000003
【図２】
2005172152.tif 000004
【図３】
2005172152.tif 000005
【図４】
2005172152.tif 000006
【図５】
2005172152.tif 000007
【図６】
2005172152.tif 000008
【図７】
2005172152.tif 000009
【図８】
2005172152.tif 000010
【図９】
2005172152.tif 000011
【図１０】
2005172152.tif 000012
【図１１】
2005172152.tif 000013
【図１２】
2005172152.tif 000014
【図１３】
2005172152.tif 000015
【図１４】
2005172152.tif 000016
【図１５】
2005172152.tif 000017
【図１６】
2005172152.tif 000018